(57)【要約】【課題】固有情報を記憶する記憶手段と，固有情報を表示する表示手段とを，それぞれ任意に選択することが可能であり，記憶手段により記憶されている固有情報と表示手段により表示されている固有情報との整合性を容易に確認可能な物品情報管理システムを提供する。【解決手段】無線タグ２が記憶している記憶固有情報と，表示プレートのバーコードにより示されている表示固有情報とが互いに整合するか否かを判断し，記憶固有情報と表示固有情報とが互いに整合するか否かの整合情報を無線タグ２に記憶しておき，リーダライタ３によって，無線タグ２に記憶されている整合情報が読み取られ，リーダライタ３のディスプレイ画面３０に，整合情報に応じた画像が表示されるようにした。【選択図】図２
2009026187.tif 000002
【特許請求の範囲】
【請求項１】
物品の固有情報を記憶する記憶手段と，
前記物品の固有情報を表示する表示手段と，
前記記憶手段に記憶されている記憶固有情報を変更するための記憶固有情報書換手段と，
前記記憶固有情報と，前記表示手段に表示された表示固有情報とのいずれか一方，又は両方を読み取る第１の読取手段と，
を具備する物品情報管理システムにおいて，
前記記憶固有情報と，前記表示固有情報とが互いに整合するか否かを判断する整合状態判断手段と，
前記整合状態判断手段による判断結果である整合情報を記憶する整合情報記憶手段と，
前記整合情報記憶手段が記憶する前記整合情報を読み取る第２の読取手段と，
前記第２の読取手段に読み取られた前記整合情報に応じた画像を表示する画像表示手段と，
を具備する物品情報管理システム。
【請求項２】
前記整合状態判断手段が，前記記憶固有情報と，前記表示固有情報との両情報を読み取り，該両情報が互いに整合するか否かを判断するものである請求項１に記載の物品情報管理システム。
【請求項３】
前記整合状態判断手段が，前記記憶固有情報書換手段による前記記憶固有情報と，前記表示固有情報との変更の態様に応じて，前記記憶固有情報と，前記表示固有情報とが互いに整合するか否かを判断するものである請求項１に記載の物品情報管理システム。
【請求項４】
前記記憶固有情報書換手段による前記記憶固有情報の変更とは別に，前記表示手段に表示されている表示固有情報を変更可能な表示固有情報書換手段を具備する請求項１〜請求項３のいずれかに記載の物品情報管理システム。
【請求項５】
前記第１の読取手段が前記第２の読取手段を兼ねている請求項１〜請求項４のいずれかに記載の物品情報管理システム。
【請求項６】
前記整合情報記憶手段が，前記物品に取り付けられる無線タグに設けられた記憶手段であり，前記記憶固有情報と前記整合情報が，前記無線タグの無線送信手段を通じて前記第１の読取手段に伝送される請求項１〜請求項５のいずれかに記載の物品情報管理システム。
【請求項７】
前記第１の読取手段とデータの送受信を行う外部記憶装置が前記整合情報記憶手段を具備しており，前記第１の読取手段は，前記表示固有情報，或いは記憶固有情報を読み取ると共に，読み取った前記表示固有情報に対応する整合情報，或いは読み取った前記記憶固有情報に対応する整合情報を，前記外部記憶装置から読み取る請求項１〜請求項６のいずれかに記載の物品情報管理システム。
【発明の詳細な説明】
【技術分野】
【０００１】
本発明は，物品等に取り付けられたタグに，当該物品等を識別するための固有情報を記録した物品情報管理システムに関するものである。
【背景技術】
【０００２】
製造過程や流通過程において，物品を識別するためにＲＦＩＤ（Ｒａｄｉｏ  Ｆｒｅｑｕｅｎｃｙ  ＩＤｅｎｔｉｆｉｃａｔｉｏｎ）を用いた物品情報管理システムが採用されている。該物品情報管理システムは，物品に当該物品の固有情報を記録した無線タグを取り付けておき，無線タグから無線送信された固有情報をＲＦＩＤ用の読取装置により読み取ることによって，物品の識別を行う。
このようなＲＦＩＤを用いた物品情報管理システムによれば，物品の固有情報が無線送信されるので，無線タグが物品に埋め込まれている場合や，物品と無線タグが梱包されている場合であっても，外部から当該物品の識別を行うことができる。
【０００３】
一方，ＲＦＩＤ用の読取装置がない場合，無線タグに記憶された物品の固有情報を読み取ることができないので，物品に，当該物品の固有情報を示すバーコードや識別番号等，ＲＦＩＤ用の読取装置がない場合にも物品の識別を行うことが可能な固有情報を表示する表示部を設けておくと便利である。
【０００４】
そこで，従来においても，記憶部に記憶された固有情報の無線送信が可能であると共に，表示部に表示する画像を，自動的に，記録部に記録された固有情報に整合させるようにする物品情報管理システムが考案されている（例えば，特許文献１，特許文献２）。
【特許文献１】特開２００４−２１２８８号公報
【特許文献２】特開２００６−８５４１３３号公報
【発明の開示】
【発明が解決しようとする課題】
【０００５】
しかしながら，記憶部に記憶された固有情報を無線送信する従来の無線タグの機能に加えて，表示部に表示する画像を，自動的に，記録部に記録された固有情報に整合させるようにした上記タグの構造は，従来の無線タグの構造に比べて複雑であり，このような上記タグは，コスト高となると共に小型化に限界があり，従来の無線タグに比べて汎用性が乏しいものとなる。
【０００６】
一方，物品に，当該物品の固有情報を記録している従来の無線タグを取り付けると共に，紙ラベル等に印刷したバーコード等により該物品の固有情報を示す従来の表示部を設けた構成においては，当該物品の固有情報が変更されたとき，無線タグに記憶されている記憶固有情報の変更と，表示部において示されている表示固有情報の変更との両方が，正しく行われる必要がある。
このとき，記憶固有情報の変更と表示固有情報の変更との何れか一方が行われなかった場合，記憶固有情報が誤って変更された場合，或いは表示固有情報が誤って変更された場合など，記憶固有情報と表示固有情報とが互いに不整合となり，記憶固有情報と表示固有情報のうち，誤った固有情報に基づいて物品の識別が行われると，物品の取り違えが発生し，製造ミスや配送ミスを引き起こす。
従って，本発明は上記事情に鑑みてなされたものであり，その目的とするところは，記憶手段により記憶されている固有情報と表示手段により表示されている固有情報との整合性を容易に確認可能な物品情報管理システムを提供することにある。
【課題を解決するための手段】
【０００７】
上記目的を達成するために本発明は，（１）物品の固有情報を記憶する記憶手段，（２）前記物品の固有情報を表示する表示手段，（３）前記記憶手段に記憶されている記憶固有情報を変更するための記憶固有情報書換手段，（４）前記記憶固有情報と，前記表示手段に表示された表示固有情報とのいずれか一方，又は両方を読み取る第１の読取手段を具備する物品情報管理システムであって，更に，以下（５）〜（８）の構成要素を具備している。
（５）前記記憶固有情報と，前記表示固有情報とが互いに整合するか否かを判断する整合状態判断手段。
（６）前記整合状態判断手段による判断結果である整合情報を記憶する整合情報記憶手段。
（７）前記整合情報記憶手段が記憶する前記整合情報を読み取る第２の読取手段。
（８）前記第２の読取手段に読み取られた前記整合情報に応じた画像を表示する画像表示手段。
【０００８】
本発明の物品情報管理システムによれば，記憶手段により記憶されている固有情報と，表示手段により表示されている固有情報とが互いに整合するか否かの整合情報を記憶する整合情報記憶手段を備えており，この整合情報記憶手段に記憶されている整合情報を第２の読取手段により読み取るだけで，整合・不整合の別を画像表示手段に表示させることができるので，記憶手段により記憶されている固有情報と表示手段により表示されている固有情報との整合性を，その場で判断することなく，極めて容易に確認可能である。
【０００９】
前記整合状態判断手段は，前記記憶固有情報と，前記表示固有情報との両情報を読み取り，該両情報が互いに整合するか否かを判断するものであってもよく，また，前記記憶固有情報書換手段による前記記憶固有情報と，前記表示固有情報との変更の態様に応じて，前記記憶固有情報と，前記表示固有情報とが互いに整合するか否かを判断するものであってもよい。
【００１０】
前者の整合状態判断手段によれば，読み取った記憶固有情報と表示固有情報とを比較することによって，記憶固有情報と表示固有情報が互いに整合するか否かを直接的に判断することができる。
後者の整合情報判断手段においては，整合情報記憶手段に，表示固有情報と記憶固有情報の両情報が互いに整合する整合情報が記憶されている状態で，表示固有情報と記憶固有情報の何れか一方のみが変更されたような態様においては，整合情報記憶手段に記憶されている整合情報を，表示固有情報と記憶固有情報が不整合である整合情報に変更すればよい。一方，整合情報記憶手段に，表示固有情報と記憶固有情報の両情報が不整合である整合情報が記憶されている状態で，表示固有情報と記憶固有情報の何れか一方のみが変更されたような態様にあっては，整合情報記憶手段に記憶されている整合情報を，表示固有情報と記憶固有情報が互いに整合する整合情報に変更することで，正しい整合情報を得ることができる。
【００１１】
更には，前記記憶固有情報書換手段による前記記憶固有情報の変更とは別に，前記表示手段に表示されている表示固有情報を変更可能な表示固有情報書換手段を具備する構成であってもよい。
また，前記第１の読取手段が前記第２の読取手段を兼ねている構成とすることも可能である。
【００１２】
具体的な構成においては，前記整合情報記憶手段が，前記物品に取り付けられる無線タグに設けられた記憶手段であるものが考えられる。この場合，前記記憶固有情報と前記整合情報が，前記無線タグの無線送信手段を通じて前記第１の読取手段に伝送される。
【００１３】
また，前記第１の読取手段とデータの送受信を行う外部記憶装置が前記整合情報記憶手段を具備しており，前記第１読取手段は，前記表示固有情報，或いは記憶固有情報を読み取ると共に，読み取った前記表示固有情報に対応する整合情報，或いは読み取った前記記憶固有情報に対応する整合情報を，前記外部記憶装置から読み取る構成とすることも可能である。
【００１４】
例えば，整合情報が，記憶固有情報と共に，無線タグ等の記憶装置に記憶されている場合，バーコードリーダ等，表示固有情報を読み取るための読取手段によっては，整合情報を直接的に読み取ることができない。
一方，外部記憶装置に表示固有情報に対応する整合情報を記憶させておくこともできる。この場合には，表示固有情報を読み取るための読取手段は，読み取った表示固有情報に対応する整合情報を，外部記憶装置から読み取ることが可能である。
整合情報が，表示固有情報と共にバーコード等により示されており，記憶有情報を読み取るための読取手段によって，直接的に整合情報を読み取ることができない場合も同様である。
【発明の効果】
【００１５】
本発明によれば，固有情報を記憶する記憶手段と，固有情報を表示する表示手段とを，それぞれ任意に選択することが可能であり，記憶手段により記憶されている固有情報と表示手段により表示されている固有情報との整合性を容易に確認可能な物品情報管理システムを提供することが可能である。
【発明を実施するための最良の形態】
【００１６】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は，無線タグとバーコードが表示された表示プレートとが取り付けられた物品の全体斜視図，図２は，無線タグとＲＦＩＤ用リーダライタのブロック図，図３は，バーコードリーダのブロック図，図４は，製造ラインにおいて，物品の固有情報が変更される工程を説明するための図，図５は，表示プレートの正面図を含む無線タグとＲＦＩＤ用リーダライタのブロック図，図６は，無線タグ，ＲＦＩＤ用リーダライタ，及び印刷装置のブロック図，図７は，表示プレートの正面図を含む無線タグと複合リーダライタのブロック図，図８は，整合情報検査工程を説明するための図，図９は，他の整合情報検査工程を説明するための図である。
【００１７】
図１に示すように，ＲＦＩＤ（Ｒａｄｉｏ  Ｆｒｅｑｕｅｎｃｙ  ＩＤｅｎｔｉｆｉｃａｔｉｏｎ）を用いて物品１０の識別を行う物品情報管理システムにおいては，物品１０に，当該物品１０の固有情報を記憶している無線タグ２（記憶手段）が取り付けられている。
無線タグ２は，図２に示すように，ＩＣ回路部２０と，該ＩＣ回路部２０に接続された送受信アンテナ２１とを有しており，ＩＣ回路部２０は，制御回路２３と，該制御回路２３により制御される記憶回路２２と送受信回路２４を具備している。物品１０の固有情報のデータは，無線タグ２のＩＣ回路部２０の記憶回路２２に格納されており，制御回路２３の制御によって，記憶回路２２から送受信回路２４へと伝送された固有情報データが，無線信号として，送受信アンテナ２１からＲＦＩＤ用のリーダライタ３（第１の読取手段の一例）へと送信される。
【００１８】
無線タグ２から無線送信された信号は，リーダライタ３の送受信アンテナ３２により受信される。リーダライタ３においては，送受信アンテナ３２は電子回路部３１に接続されており，電子回路部３１は，制御回路３７と，該制御回路３７により制御される送受信回路３３と読取回路３６を具備している。
リーダライタ３の電子回路部３１において，送受信アンテナ３２により受信された信号が，送受信回路３３から読取回路３６（第２の読取手段の一例）に伝送される。読取回路３６は，送受信回路３３から伝送された信号に基づき，無線タグ２に記憶された記憶固有情報を読み取る読取機能を司るためのものである。該読取回路３６により読み取られた記憶固有情報（例えば，製品番号）は，ディスプレイ画面３０（画像表示手段の一例）に表示される。
なお，リーダライタ３と無線タグ２との間で行われる無線通信は，例えば，ＵＨＦ帯，短波帯（１３.５６ＭＨｚ），或いはマイクロ波帯（２.４５ＧＨｚ）の信号を用いるものである。
【００１９】
図１に示すように，物品１０においては，更に，当該物品１０の固有情報を示すバーコード１ａ（表示手段の一例），及び文字列１ｂ（例えば，製品番号）が表示された表示プレート１が取り付けられている。表示プレート１は，物品１０に取り付けられた難燃性プラスチックカード上に，バーコード１ａ等を感熱リライト印字したものである。
図３に示すように，表示プレート１に表示されたバーコード１ａにより示される表示固有情報は，バーコードリーダ４（第１の読取手段の一例）により読み取られる。バーコードリーダ４は，発光／受光部４１から表示プレート１にレーザ光を照射し，発光／受光部４１により表示プレート１からの反射光を受光する。バーコードリーダ４の電子回路部４４は，電子回路部４４全体を制御する制御回路４５と，発光／受光部４１により受光された反射光に基づき電気信号を生成する発光／受光回路４３と，発光／受光回路４３から伝送された信号に基づいて，バーコード１ａにより示された表示固有情報を読み取る読取機能を司る読取回路４２とを具備している。バーコードリーダ４の読取回路４２により読み取られた表示固有情報（例えば，製品番号）は，バーコードリーダ４のディスプレイ画面４０（画像表示手段の一例）に表示される。
【００２０】
物品１０に，このような表示プレート１を取り付けておくことによって，上記ＲＦＩＤ用のリーダライタがない状況であっても，バーコードリーダ４を用いてバーコード１ａにより示される表示固有情報を読み取ることによって，当該物品１０の固有情報を知ることができる。更には，バーコードリーダ４を用いることなく，表示プレート１に表示された文字列１ｂに基づき，当該物品１０の固有情報を知ることも可能である。
【００２１】
表示プレート１は，バーコードリーダ４による読み取りが可能であるように，外部に露出した状態で物品１０に取り付けられている。これに対し，無線タグ２は，表示プレート１の物品１０への取り付け位置によらず，物品１０の任意の位置に取り付けることができる。例えば，上記リーダライタと無線タグ２との間の無線通信が可能である限り，無線タグ２が物品１０中に埋め込まれていても構わない。
【００２２】
ところで，図２に示すＲＦＩＤ用のリーダライタ３は，無線タグ２に記憶されている記憶固有情報を読み取る読取機能を達成するための読取回路３６の他に，無線タグ２との間の無線通信によって，無線タグ２に記憶されているデータを削除し，当該無線タグ２に新たなデータを書き込む書込機能を達成するための書込回路３４（記憶固有情報書換手段の一例）も具備している。該書込回路３４によって，無線タグ２に記憶されている記憶固有情報が変更される。
【００２３】
また，図１に示す表示プレート１に表示されたバーコード１ａと文字列１ｂは，上述のように，感熱リライト印字されたものであり，感熱リライト印字用の印刷装置（表示固有情報書換手段の一例）によって，表示プレート１に表示されているバーコード１ａと文字列１ｂを消去し，当該表示プレート１に新たなバーコード１ａと文字列１ｂを印刷することも可能である。このことによって，表示プレート１に表示されているバーコード１ａや文字列１ｂにより示されている表示固有情報を変更する。
【００２４】
図２に示すリーダライタ３は，後述のように，リーダライタ３の上記書込機能による記憶固有情報の変更と，上記印刷装置による印刷の実行を検知し，記憶固有情報の変更と印刷の実行のいずれか一方のみが行われた場合に，記憶固有情報と表示固有情報が互いに不整合になったものと判断する整合情報判断機能のための整合情報判断回路３５（整合状態判断手段の一例）を具備している。上記整合情報判断機能による判断結果は，上記書込機能によって，無線タグ２に書き込まれる。
【００２５】
図２に示すように，無線タグ２の記憶回路２２（整合情報記憶手段の一例）においては，物品１０の記憶固有情報が記憶されている記憶固有情報記憶領域２２ａと，この記憶固有情報と表示プレート１に表示されているバーコード１ａや文字列１ｂにより示されている表示固有情報とが互いに整合するか否かの整合情報が記憶される整合情報記憶領域２２ｂとが設けられている。無線タグ２の上記記憶固有情報記憶領域２２ａに記憶されている記憶固有情報と，表示プレート１に表示されているバーコード１ａや文字列１ｂにより示されている表示固有情報とは，同じ物品１０の固有情報であるから，通常，互いに整合する。
【００２６】
物品１０に取り付けられた無線タグ２に記憶されている記憶固有情報を変更したり，当該物品１０に取り付けられた表示プレート１に表示されているバーコード１ａや文字列１ｂにより示されている表示固有情報を変更する場合としては，例えば，図４に示すように，物品１０が製造ラインＬを流れる中間製品である場合が挙げられる。
製造ラインＬ中，工程Ａの処理が施されていない物品１０と，工程Ａの処理が施された物品１０とを識別するために，工程Ａの処理が施されていない物品１０については，当該物品１０に取り付けられた無線タグ２に記憶されている記憶固有情報と，当該物品１０に取り付けられた表示プレート１に表示されているバーコード１ａや文字列１ｂにより示される表示固有情報が，いずれも工程Ａの処理が施されていない物品１０の固有情報となっているのに対して，工程Ａの処理が施された物品１０については，当該物品１０に取り付けられた無線タグ２に記憶されている記憶固有情報と，当該物品１０に取り付けられた表示プレート１に表示されているバーコード１ａや文字列１ｂにより示される表示固有情報が，いずれも工程Ａの処理が施された物品１０の固有情報となっている必要がある。
工程Ａを含む製造ラインの流れの一例が図４に示される。図４においては，工程Ａの処理が施されていない物品１０の固有情報として「１２３４５６７８９」なる製品番号を示し，工程Ａの処理が施された物品１０の固有情報として「９８７６５４３２１」なる製品番号を示している。
【００２７】
製造ラインＬにおいて，工程Ａの後に，物品１０に取り付けられた無線タグ２に記憶されている記憶固有情報と，当該物品１０に取り付けられた表示プレート１に表示されているバーコード１ａや文字列１ｂにより示される表示固有情報を，工程Ａの処理が施されていない物品１０の固有情報から，工程Ａの処理が施された物品１０の固有情報へと変更する固有情報書換工程Ｂが行われる。
工程Ａの後，固有情報書換工程Ｂの前においては，物品１０に取り付けられた無線タグ２に記憶されている記憶固有情報と，当該物品１０に取り付けられた表示プレート１に表示されているバーコード１ａや文字列１ｂにより示される表示固有情報は，何れも工程Ａの処理が施されていない物品１０の固有情報である。このとき，記憶固有情報と表示固有情報が互いに整合する整合情報が無線タグ２に記憶されている。
【００２８】
固有情報書換工程Ｂにおいては，先ず，図５に示すように，リーダライタ３の上記書込回路３４によって，無線タグ２に記憶されている記憶固有情報を，工程Ａの処理が施されていない物品１０の固有情報から，工程Ａの処理が施された物品１０の固有情報へと変更される。なお，図５においては，リーダライタ３の書込機能に関する部分のみが示され，記憶固有情報を変更するための信号の流れが点線矢印により示されている。
無線タグ２に記憶されている記憶固有情報のみが変更された後においては，無線タグ２に記憶されている記憶固有情報は，工程Ａの処理が施された物品１０の固有情報であるのに対し，表示プレート１に表示されているバーコード１ａや文字列１ｂにより示される表示固有情報は，工程Ａの処理が施されていない物品１０の固有情報のままである。即ち，無線タグ２に記憶されている記憶固有情報と，表示プレート１に表示されているバーコード１ａや文字列１ｂにより示される表示固有情報とは，互いに不整合となる。
【００２９】
一方，リーダライタ３においては，前記整合情報判断回路３５が，無線タグ２に記憶されている記憶固有情報の変更を検知しているが，表示プレート１に表示されているバーコード１ａや文字列１ｂにより示される表示固有情報が書き換えられたという情報を得ていない。このことによって，整合情報判断回路３５は，無線タグ２に記憶されている記憶固有情報と，表示プレート１に表示されているバーコード１ａや文字列１ｂにより示される表示固有情報とが，互いに不整合になったものと判断する。
なお，図５においては，書込回路３４による記憶固有情報の変更が整合情報判断回路３５に検知されることを，書込回路３４から整合情報判断回路３５に向かう２点鎖線矢印により示している。
【００３０】
リーダライタ３の書込回路３４は，リーダライタ３の上記整合情報判断回路３５の判断結果に応じて，記憶固有情報と表示固有情報とが互いに不整合である整合情報のデータを無線タグ２における記憶回路２２の整合情報記憶領域２２ｂに書き込む。図５においては，整合情報を変更するための信号の流れを実線矢印により示している。
【００３１】
通常は，続いて図４に示すように，リーダライタ３の書込回路３４が無線タグ２に記憶されている記憶固有情報を変更した後，印刷装置７が，工程Ａの処理が施された物品１０の固有情報を示す新たなバーコード１ａと文字列１ｂを，表示プレート１に印刷する。図６に示す印刷装置７とリーダライタ３とは，相互間でのデータの送受信が可能であるように，ケーブル７１により接続されており，リーダライタ３から無線タグ２に記憶されている記憶固有情報を取得し，この記憶固有情報に応じて，上記新たなバーコード１ａと文字列１ｂを印刷する。印刷装置７とリーダライタ３は，無線接続されていてもよい。
【００３２】
表示プレート１に上記新たなバーコード１ａと文字列１ｂが正常に印刷されることによって，無線タグ２に記憶されている記憶固有情報と，表示プレート１に表示されている上記新たなバーコード１ａや文字列１ｂにより示される表示固有情報は，何れも，工程Ａの処理が施された物品１０の固有情報となる。即ち，無線タグ２に記憶されている記憶固有情報と，表示プレート１に表示されている上記新たなバーコード１ａや文字列１ｂに示されている表示固有情報は，互いに整合する。
【００３３】
印刷装置７とリーダライタ３は，相互間でのデータの送受信が可能であるように有線／無線接続されており，印刷装置７により印刷が実行されたことを表すデータが，印刷装置７からリーダライタ３に送信される。このことによって，リーダライタ３は，印刷装置７による印刷の実行の有無を検知することができる。
リーダライタ３の整合情報判断回路３５は，無線タグ２に記憶されている記憶固有情報の変更を検知した後，更に，印刷装置７による印刷の実行を検知することによって，記憶固有情報と表示固有情報とが互いに整合するものになったと間接的に判断することも可能である。
なお，印刷装置７とリーダライタ３を接続しない構成も可能である。この場合，印刷装置７に対して，新たなバーコード１ａと文字列１ｂを印刷させるためのデータを直接入力する。また，印刷装置７とリーダライタ３を接続しない構成においては，印刷装置７による印刷が実行されたとき，リーダライタ３に対して，印刷が実行されたことをリーダライタ３の整合情報判断回路３５に認識させるためのデータを直接入力する。
【００３４】
一方，何らかの異常によって，記憶固有情報と表示固有情報とが，何れも工程Ａの処理が施されていない物品１０の固有情報である状態から，記憶固有情報が変更されることなく，表示プレート１に上記新たなバーコード１ａと文字列１ｂが印刷された場合，無線タグ２に記憶されている記憶固有情報は，工程Ａの処理が施されていない物品１０の固有情報のままであり，一方，表示プレート１に表示されているバーコード１ａや文字列１ｂにより示される表示固有情報は，工程Ａの処理が施された物品１０の固有情報である。即ち，無線タグ２に記憶されている記憶固有情報と，表示プレート１に表示されているバーコード１ａや文字列１ｂにより示される表示固有情報とは，互いに不整合となる。
【００３５】
このとき，リーダライタ３においては，記憶固有情報の変更を検知しないまま，印刷装置７による印刷の実行を検知することとなり，このことによって，上記整合情報判断回路３５は，無線タグ２に記憶されている記憶固有情報と，表示プレート１に表示されているバーコード１ａと製品番号により示される表示固有情報とが互いに不整合であるものと判断する。このとき，リーダライタ３の書込回路３４は，記憶固有情報と表示固有情報とが互いに不整合である整合情報のデータを無線タグ２の記憶回路２２の整合情報記憶領域２２ｂに書き込む。
また，記憶固有情報と表示固有情報とが整合している状態において，無線タグ２に記憶されている記憶固有情報が変更された後，何らかの異常により表示プレート１に新たなバーコード１ａと製品番号が印刷されず，印刷装置７による印刷の実行が検知されなかった場合，整合情報判断回路３５は不整合と判断して，無線タグ２に，記憶固有情報と表示固有情報とが不整合である整合情報を記憶する（図５参照）。
【００３６】
上記のように，リーダライタ３の整合情報判断回路３５は，記憶固有情報と表示固有情報との変更の態様に応じて，記憶固有情報と表示固有情報とが整合するか否かを間接的に判断することが可能である。
しかしながら，印刷装置７による印刷が実行されたものの，印刷ミス等の異常が生じ，表示プレート１にバーコード１ａや文字列１ｂが正しく印刷されなかった場合，無線タグ２に記憶されている記憶固有情報と，表示プレート１に表示されているバーコード１ａや文字列１ｂに示されている表示固有情報とが互いに不整合となる状況も生じ得る。
そこで，無線タグ２に記憶されている記憶固有情報と表示プレート１に表示されているバーコード１ａにより示されている表示固有情報とが互いに整合するか否かを直接的に判断するために，図７に示す複合リーダライタ６を用いる。
【００３７】
複合リーダライタ６は，ＲＦＩＤ用の読み取り書きこみ装置の機能と，バーコードリーダの機能を兼ね備えている。複合リーダライタ６は，無線タグ２との間で無線通信を行うためのＲＦＩＤ用送受信アンテナ６２と，表示プレートにレーザ光を照射し，表示プレートからの反射光を受光するためのバーコード用発光／受光部６１とを具備している。複合リーダライタ６の電子回路部６０は，電子回路部６０の全体を制御するための制御回路５９，ＲＦＩＤ用送受信アンテナ６２との間でＲＦＩＤ用の信号を送受信するＲＦＩＤ用の送受信回路６８，無線タグ２に記憶されている記憶固有情報を読み取る読取機能を司るＲＦＩＤ用読取回路６４，無線タグ２に情報データを書き込む書込機能を司るＲＦＩＤ用書込回路６５を具備し，更に，バーコードリーダの機能として，バーコード用発光／受光部６１からのバーコード信号を受ける発光／受光部６９に接続され，バーコード１ａにより示される表示固有情報を読み取るバーコード１ａ読取機能を司るバーコード読取回路６６を具備している。複合リーダライタ６の電子回路部６０は，更に，ＲＦＩＤ用読取回路６４とバーコード読取回路６６によりそれぞれ読み取った記憶固有情報と表示固有情報とを比較し，両情報が互いに整合するか否かを判断する整合情報判断機能を司る整合情報判断回路６７（整合状態判断手段の一例）を具備している。
【００３８】
このような複合リーダライタ６によれば，無線タグ２に記憶されている記憶固有情報と，表示プレート１に表示されているバーコード１ａにより示される表示固有情報とを両方読み取ることができるので，整合情報判断回路６７によって読み取った記憶固有情報と表示固有情報とを比較することによって，記憶固有情報と表示固有情報が互いに整合するか否かを直接的に判断することができる。
複合リーダライタ６は，整合情報判断回路６７による判断結果，即ち記憶固有情報と表示固有情報が整合するか否かの整合情報が，ＲＦＩＤ用書込回路６５によって，無線タグ２の記憶回路２２の整合情報記憶領域２２ｂに書き込まれる。
このとき，複合リーダライタ６により読み取られた記憶固有情報と表示固有情報の両方，或いは一方と，複合リーダライタ６の整合情報判断回路６７による判断結果，即ち，複合リーダライタ６により読み取られた記憶固有情報と表示固有情報が互いに整合するか否かの整合情報とが，複合リーダライタ６のディスプレイ画面６３に表示されるようにしてもよい。
なお，図７においては，複合リーダライタ６が，表示固有情報と記憶固有情報を読み取るための信号の流れが，点線矢印により示され，複合リーダライタ６が，無線タグに整合情報を書き込むための信号の流れが，実線矢印により示されている。
【００３９】
複合リーダライタ６は，ＲＦＩＤ用のリーダライタとバーコードリーダとを，相互間のデータの送受信が可能であるように連結したものでもよい。このとき，ＲＦＩＤ用のリーダライタ，或いはバーコードリーダが具備する整合情報判断回路によって，ＲＦＩＤ用のリーダライタにより読み取られた記憶固有情報と，バーコードリーダにより読み取られた表示固有情報とが比較され，両情報が互いに整合するか否かが判断される。
【００４０】
上述のように，無線タグ２に記憶されている記憶固有情報と，表示プレート１に表示されているバーコード１ａや文字列１ｂにより示される表示固有情報とが整合／不整合である整合情報が無線タグ２に記憶されている構成によれば，リーダライタ３の読取回路３６により無線タグ２に記憶されている記憶固有情報を読み取る際に，整合情報も読み取ることができる。すなわち，前記第１の読取手段が前記第２の読取手段を兼ねているケースである。
また，整合情報を，情報サーバ等，無線タグ２以外の記憶装置に記憶させる構成とすることも可能である。
【００４１】
なお，上記固有情報書換工程においては，リーダライタ３の書込回路３４により無線タグ２に記憶されている記憶固有情報を変更した後，印刷装置７により表示プレート１に新たなバーコード１ａと文字列１ｂを印刷する構成を説明したが，表示プレート１に新たなバーコード１ａと文字列１ｂを印刷した後，無線タグ２に記憶されている記憶固有情報の変更を行う固有情報書換工程であってもよい。
【００４２】
無線タグ２等の記憶装置に，無線タグ２に記憶されている記憶固有情報と，表示プレート１に表示されているバーコード１ａや文字列１ｂにより示される表示固有情報とが整合するか否かの整合情報が記憶された後，以下のように，リーダライタ３，或いはバーコードリーダ４を用いて，無線タグ２に記憶されている記憶固有情報と，表示プレート１に表示されているバーコード１ａにより示される表示固有情報が互いに整合するか否かを検査する整合情報検査工程を行うことが可能である。
なお，整合情報検査工程においては，リーダライタ３，或いはバーコードリーダ４だけではなく，無線タグ２に記憶されている情報と，バーコード１ａによる示されている情報の両方を読み取り可能な読取装置を用いることも可能であり，また，無線タグ２等の記憶装置に記憶されている整合情報のみを読み取る読取装置を用いることも可能である。
【００４３】
（リーダライタによる整合情報検査工程）
図８に示すリーダライタ３を用いる整合情報検査工程においては，リーダライタ３の読取回路３６が，検査対象となる物品１０に取り付けられている記憶手段の一例としての無線タグ２に記憶されている記憶固有情報，及び整合情報を上記無線タグ２が備える前記無線送信手段を通じて伝送されたデータとして読み取る。
図８（ａ）に示すように，リーダライタ３は，記憶固有情報と表示固有情報が互いに整合する整合情報を読み取った場合，リーダライタ３のディスプレイ画面３０に，読み取った記憶固有情報（例えば，製品番号）と，記憶固有情報と表示固有情報が互いに整合する整合情報に対応する画像３０ａ（例えば，「整合」という文字列）を表示する。上記ディスプレイ画面３０が，画像表示手段の一例である。
【００４４】
一方，リーダライタ３は，図８（ｂ）に示すように，記憶固有情報と表示固有情報が不整合である整合情報を読み取った場合，リーダライタ３のディスプレイ画面３０に，読み取った記憶固有情報（例えば，製品番号）と，記憶固有情報と表示固有情報が不整合である整合情報に対応する画像３０ｂ（例えば，「不整合」という文字列）を表示する。
整合情報検査工程において，オペレータは，リーダライタ３のディスプレイ画面３０に表示される画像に基づき，記憶固有情報と表示固有情報が整合しているか否かを容易に判断することができる。
【００４５】
（バーコードリーダによる整合情報検査工程）
バーコードリーダ４を用いる整合情報検査工程を行う場合，図９に示すように，バーコードリーダ４を情報サーバ５（外部記憶装置の一例）に接続する。
情報サーバ５は，当該情報サーバ５に接続されたリーダライタ３，バーコードリーダ４，複合リーダライタ６等，他の装置とのデータの送受信を行う。情報サーバ５は，図７に示す複合リーダライタ６の整合情報判断回路６７による判断結果であって，表示プレート１に表示されているバーコード１ａにより示される表示固有情報について，無線タグ２に記憶されている記憶固有情報と整合するか否かの整合情報を複合リーダライタ６から取得し，記憶している。
【００４６】
図９に示すバーコードリーダ４を用いる整合情報検査工程において，バーコードリーダ４が，検査対象となる物品１０に取り付けられている表示プレート１に表示されているバーコード１ａにより示される表示固有情報を読み取る。
バーコードリーダ４は，更に，読み取った表示固有情報に対応する整合情報を情報サーバ５から読み取る。
【００４７】
図９（ａ）に示すように，バーコードリーダ４は，読み取った表示固有情報について，該表示固有情報と無線タグ２に記憶されている記憶固有情報とが互いに整合する整合情報を情報サーバ５から読み取った場合，ディスプレイ画面４０に，読み取った表示固有情報（例えば，製品番号）と，記憶固有情報と表示固有情報とが互いに整合する整合情報に応じた画像４０ａ（例えば，「整合」という文字列）を表示する。この場合，上記ディスプレイ画面４０が，画像表示手段の一例である。
【００４８】
一方，図９（ｂ）に示すように，バーコードリーダ４は，読み取った表示固有情報について，該表示固有情報と無線タグ２に記憶されている記憶固有情報とが互いに不整合である整合情報を情報サーバ５から読み取った場合，ディスプレイ画面４０に，読み取った表示固有情報（例えば，製品番号）と，記憶固有情報と表示固有情報とが互いに不整合である整合情報に応じた画像４０ｂ（例えば，「不整合」という文字列）を表示する。
【００４９】
このように，上記バーコードリーダを用いる整合情報検査工程においては，ＲＦＩＤ用のリーダライタ３を用いることなく，バーコードリーダ４によって，物品１０の固有情報，及び記憶固有情報と表示固有情報とが互いに整合するか否かの整合情報を読み取ることができる。
【００５０】
このように，無線タグ２や情報サーバ５に，記憶固有情報と表示固有情報とが互いに整合するか否かの整合情報を記憶しておくことによって，無線タグ２に記憶されている記憶固有情報をリーダライタ３により読み取る際，或いは，表示プレート１に表示されているバーコード１ａにより示されている表示固有情報をバーコードリーダ４により読み取る際に，記憶固有情報と表示固有情報とが互いに整合か否かを，図７に示す複合リーダライタ６の如き記憶固有情報と表示固有情報の両方の読み取りが可能な装置等を用いて判断することなく，極めて容易に確認することが可能である。
上記整合情報検査工程において，リーダライタ３のディスプレイ画面３０，或いはバーコードリーダ４のディスプレイ画面４０に，記憶固有情報と表示固有情報が互いに不整合である整合情報に応じた画像３０ｂ，４０ｂが表示されたとき，検査対象となっている物品１０は，製造ラインから除去される。このことによって，物品１０が記憶固有情報と表示固有情報のうち誤った情報に基づいて識別されることを防ぎ，物品１０の識別間違いによる製造ミスをなくすことができる。
【００５１】
上記整合情報検査工程において，リーダライタ３が，記憶固有情報と表示固有情報が互いに不整合である整合情報を読み取った場合，或いはバーコードリーダ４が，記憶固有情報と表示固有情報が互いに不整合である整合情報を読み取った場合，リーダライタ３のディスプレイ画面３０，或いはバーコードリーダ４のディスプレイ画面４０に，記憶固有情報と表示固有情報が互いに不整合であることを示す画像３０ｂ，４０ｂ（例えば，「不整合」という文字列）のみを表示し，物品１０の固有情報を一切表示しないようにすることも可能である。
このような表示によれば，リーダライタ３のディスプレイ画面３０，或いはバーコードリーダ４のディスプレイ画面４０に表示された誤った固有情報に基づいて当該物品１０の識別が行われることがなく，物品１０の取り違いを確実に防止することができる。
なお，リーダライタ３のディスプレイ画面３０，或いはバーコードリーダ４のディスプレイ画面４０に，記憶固有情報と表示固有情報が互いに不整合であることを示す画像３０ｂ，４０ｂが示された場合においても，記憶固有情報と表示固有情報のうち，何れの情報が誤っているのかが既知であれば，誤っているほうの情報を正しい情報に合わせて変更することも可能である。
【００５２】
上記実施形態においては，整合情報が無線タグ２に記憶されている構成を説明したが，整合情報は，表示プレート１に表示されたバーコード１ａにより示されるものであってもよい。この場合，バーコードリーダ４を用いてバーコード１ａにより示される表示固有情報を読み取る際に，整合情報も読み取ることができる。
バーコード１ａにより示される整合情報は，ＲＦＩＤ用のリーダライタ３により直接的に読み取ることはできないが，上記実施形態においてバーコードリーダ４を情報サーバ５に接続した構成と同様，ＲＦＩＤ用のリーダライタ３を情報サーバ５に接続することによって，該リーダライタ３による整合情報の取得が可能となる。このとき，情報サーバ５は，無線タグ２に記憶されている記憶固有情報について，表示プレート１に表示されているバーコード１ａにより示される表示固有情報と整合するか否かの整合情報を，リーダライタ３，或いは複合リーダライタ６から取得し，記憶している。
【００５３】
上記実施形態においては，表示プレートとして，プラスチックカード上にバーコード１ａ等が感熱リライト印字されたものを用いたが，表示プレートとして液晶パネルを用いてバーコード１ａ等を表示することも可能である。
また，表示プレートとして紙ラベル上にバーコード１ａ等が印刷されたものを用いることも可能である。
【産業上の利用可能性】
【００５４】
本発明の物品情報管理システムは，製造過程や流通過程において，物品の識別に利用することができる。
【図面の簡単な説明】
【００５５】
【図１】無線タグとバーコードが表示された表示プレートとが取り付けられた物品の全体斜視図。
【図２】無線タグとＲＦＩＤ用リーダライタのブロック図。
【図３】バーコードリーダのブロック図。
【図４】製造ラインにおいて，物品の固有情報が変更される工程を説明するための図。
【図５】表示プレートの正面図を含む無線タグとＲＦＩＤ用リーダライタのブロック図。
【図６】無線タグ，ＲＦＩＤ用リーダライタ，及び印刷装置のブロック図。
【図７】表示プレートの正面図を含む無線タグと複合リーダライタのブロック図。
【図８】整合情報検査工程を説明するための図。
【図９】他の整合情報検査工程を説明するための図。
【符号の説明】
【００５６】
１…表示プレート
１ａ…バーコード
１ｂ…文字列
２…無線タグ
３…リーダライタ
４…バーコードリーダ
５…情報サーバ
７…印刷装置
１０…物品
【図１】
2009026187.tif 000003
【図２】
2009026187.tif 000004
【図３】
2009026187.tif 000005
【図４】
2009026187.tif 000006
【図５】
2009026187.tif 000007
【図６】
2009026187.tif 000008
【図７】
2009026187.tif 000009
【図８】
2009026187.tif 000010
【図９】
2009026187.tif 000011